(57)【要約】【課題】  縁なし記録時に記録媒体の外に付与される着色材の量を少なくすることができる記録装置および記録方法を提供すること。【解決手段】  ホスト装置から、複数のラスターデータとして受信した画像データを受信バッファ２２に格納する。その画像データを、ラスターデータの先頭側のデータ部分を基準として、着色材付与領域に対応付けてワークバッファ２３に展開する。そのワークバッファ２３から画像データを読み出す際に、ラスターデータの先頭側のデータ部分に関しては読み出しを制限する。【選択図】  図４
2006043924.tif 000002
【特許請求の範囲】
【請求項１】
ラスターデータとして受信した画像データに基づいて、前記記録媒体上の領域と前記記録媒体からはみ出た領域とを含めた着色材付与領域に着色材を付与して画像を記録する記録装置において、
受信した前記画像データを格納する第１バッファと、
前記第１バッファに格納された前記画像データを、前記ラスターデータの先頭側のデータ部分を基準として、前記着色材付与領域に対応付けて展開する第１展開手段と、
前記第１展開手段によって展開された前記画像データを格納する第２バッファと、
前記第２バッファに格納された前記画像データを読み出し、かつ前記ラスターデータの先頭側のデータ部分に関しては読み出しを制限する読み出し手段と、
前記読み出し手段によって読み出された前記画像データに基づいて画像を記録する制御手段と、
を備えることを特徴とする記録装置。
【請求項２】
前記読み出し手段は、前記ラスターデータの先頭側のデータ部分の読み出しをカラム単位で制限することを特徴とする請求項１に記載の記録装置。
【請求項３】
前記読み出し手段は、前記記録媒体上の前記領域を基準として、前記ラスターデータの先頭側のデータ部分の読み出し量を制限することを特徴とする請求項１または２に記載の記録装置。
【請求項４】
前記読み出し手段は、前記記録媒体のサイズに応じて、前記ラスターデータの先頭側のデータ部分の読み出し量を制限することを特徴とする請求項１から３のいずれかに記載の記録装置。
【請求項５】
前記着色材としてのインクを複数の吐出口から吐出可能な記録ヘッドと、
前記記録ヘッドを主走査方向に移動させる移動手段と、
前記記録媒体を前記主走査方向と交差する副走査方向に搬送する搬送手段と、
前記読み出し手段によって読み出された前記画像データを前記複数の吐出口に対応付けて展開する第２展開手段と、
前記第２展開手段によって展開された前記画像データを格納する第３バッファと、
を備えることを特徴とする請求項１から４のいずれかに記載の記録装置。
【請求項６】
前記読み出し手段は、前記搬送手段による前記記録媒体の搬送位置のずれ量に応じて、前記ラスターデータの先頭側のデータ部分の読み出し量を制限することを特徴とする請求項５に記載の記録装置。
【請求項７】
ラスターデータとして受信した画像データに基づいて、前記記録媒体上の領域と前記記録媒体からはみ出た領域とを含めた着色材付与領域に着色材を付与して画像を記録する記録方法において、
受信した前記画像データを第１バッファに格納し、
前記第１バッファに格納された前記画像データを、前記ラスターデータの先頭側のデータ部分を基準として、前記着色材付与領域に対応付けて展開して第２バッファに格納し、
前記第２バッファに格納された前記画像データを読み出し、かつ前記ラスターデータの先頭側のデータ部分に関しては読み出しを制限し、
前記第２バッファから読み出された前記画像データに基づいて画像を記録する
ことを特徴とする記録方法。
【発明の詳細な説明】
【技術分野】
【０００１】
本発明は、記録媒体の少なくとも１つの縁に余白を形成しないように画像を記録する、いわゆる縁なし記録が可能な記録装置および記録方法に関するものである。
【背景技術】
【０００２】
近年、このような縁なし記録が可能な記録システムが急速に普及してきている。縁なし記録を実現するためには、用紙などの記録媒体の表面よりも広い記録領域に対応する画像データを生成し、その画像データに基づいて記録媒体上に画像を記録する。着色材としてのインクを吐出可能なインクジェット記録ヘッドを用いて、記録媒体にインクを付与することによって画像を記録するインクジェット記録装置の場合には、記録媒体の縁の外に付与されたインクは、プラテン上のインク吸収体に吸収される（特許文献１参照）。
【０００３】
また、高速記録を行うために、記録装置に接続されるホスト装置上のプリンタドライバによって、画像データを複数のラスターデータを１つのラスターブロックにまとめて記録装置に送信するものがある（特許文献２参照）。ホスト装置は、そのラスターブロック単位の画像データに付与するコマンドを生成して、記録装置に送信する。記録装置は、ホスト装置から受信したラスターブロック単位の画像データを展開し、その画像データに基づいて画像を記録する。
【０００４】
【特許文献１】特開２００３−１２７３４１号公報
【特許文献２】特開２０００−９９２９５号公報
【発明の開示】
【発明が解決しようとする課題】
【０００５】
従来の記録システムにおいては、記録装置がホスト装置から受信した画像データに基づいて縁なし記録をする場合に、記録媒体上から外れた位置に付与するインク（着色材）量が必要以上に多く、インクを無駄に消費すると共に、そのインクミストによって記録装置内が汚染されるおそれがあった。以下、その理由を図１１に基づいて説明する。
【０００６】
図１１中の範囲Ｓ１は、幅ＰＷ、長さＰＬの記録用紙（記録媒体）Ｐの大きさに相当し、また範囲Ｓ３は、幅ＤＷ、長さＤＬの画像データＤの記録範囲である。画像データＤは、パーソナルコンピュータ形態などのホスト装置から記録装置に対して、複数のラスターデータをまとめたラスターブロック単位で送信されて、記録装置のバッファに展開される。その画像データＤの記録範囲Ｓ３は記録用紙Ｐの範囲Ｓ１よりも大きい。本例の場合、記録装置はインクジェット記録ヘッドを用いたシリアルスキャンタイプの記録装置であり、画像データＤに基づいて記録用紙Ｐに縁なし記録を行う。矢印Ａは記録ヘッドが移動する主走査方向であり、矢印Ｂは記録用紙Ｐが搬送される副走査方向である。シリアルスキャンタイプの記録装置は、画像データＤに基づいて記録ヘッドからインクを吐出させつつ、その記録ヘッドを主走査方向に移動させる動作と、記録用紙Ｐを副走査方向に所定量搬送する搬送動作と、を交互に繰り返すことによって、記録用紙Ｐ上に画像を記録する。記録用紙Ｐの範囲Ｓ１から外れた位置に吐出されたインクは、プラテン上のインク吸収体に着弾して吸収される。図１１中の範囲Ｓ２は、記録用紙Ｐが副走査方向に対して斜めに搬送される斜行が生じた場合を考慮して定められた記録許容範囲である。この記録許容範囲Ｓ２は記録用紙Ｐの範囲Ｓ１よりも大きく、この記録許容範囲Ｓ２内において記録用紙Ｐの位置ずれが生じる可能性がある。したがって、少なくとも記録許容範囲Ｓ２にインクを吐出することによって、記録用紙Ｐに縁なし記録をすることができる。
【０００７】
しかし従来の記録装置は、記録許容範囲Ｓ２よりも記録範囲Ｓ３が大きい画像データＤをホスト装置から送信してバッファに格納し、その画像データＤに基づいて縁なし記録を行っていた。そのため、記録許容範囲Ｓ２を超えた記録範囲Ｓにインクが吐出され、その必要以上に吐出されるインクのミストによって記録装置内が汚染されるおそれがあった。
【０００８】
記録許容範囲Ｓ２から図１１中の右側にはみ出る記録範囲Ｓ３の右側部分ＳＲに関しては、その部分ＳＲに対応する画像データを用いることなく縁なし記録をすることが考えられる。例えば、ホスト装置から送信される画像データ（ラスターデータ）を記録装置の受信バッファに格納した後、その画像データのラスターブロックの先頭側を基準として、その画像データをワークバッファに展開するときに、そのラスターブロックの後端側に位置するデータ部分をワークバッファに展開しないようにマスクをかけることが考えられる。ラスターブロックの後端側が図１１中の右側部分ＳＲに対応するため、理論的に、右側部分ＳＲの画像データを利用することなく、つまり、その部分ＳＲにインクを付与することなく縁なし記録をすることが可能となる。
【０００９】
しかし、記録許容範囲Ｓ２から図１１中の左側にはみ出る記録範囲Ｓ３の左側部分ＳＬに関しては、その部分ＳＬに対応する画像データを用いることなく縁なし記録をすることができなかった。その理由は、受信バッファに格納した画像データ（ラスターデータ）をラスターブロックの先頭側を基準としてワークバッファに展開する関係上、その先頭側の対応する左側部分ＳＬに位置するデータ部分をワークバッファに展開しないようにマスクをかけることができないからである。
【００１０】
本発明の目的は、縁なし記録時に記録媒体の外に付与される着色材の量を少なくすることができる記録装置および記録方法を提供することにある。
【課題を解決するための手段】
【００１１】
本発明の記録装置は、画像データを記録媒体上のラスター方向に連続する複数のラスターデータとして受信し、その画像データに基づいて、前記記録媒体上の領域と前記記録媒体からはみ出た領域とを含めた着色材付与領域に着色材を付与して画像を記録する記録装置において、受信した前記画像データを格納する第１バッファと、前記第１バッファに格納された前記画像データを、前記ラスターデータの先頭側のデータ部分を基準として、前記着色材付与領域に対応付けて展開する第１展開手段と、前記第１展開手段によって展開された前記画像データを格納する第２バッファと、前記第２バッファに格納された前記画像データを読み出し、かつ前記ラスターデータの先頭側のデータ部分に関しては読み出しを制限する読み出し手段と、前記読み出し手段によって読み出された前記画像データに基づいて画像を記録する制御手段と、を備えることを特徴とする。
【００１２】
本発明の記録方法は、画像データを記録媒体上のラスター方向に連続する複数のラスターデータとして受信し、その画像データに基づいて、前記記録媒体上の領域と前記記録媒体からはみ出た領域とを含めた着色材付与領域に着色材を付与して画像を記録する記録方法において、受信した前記画像データを第１バッファに格納し、前記第１バッファに格納された前記画像データを、前記ラスターデータの先頭側のデータ部分を基準として、前記着色材付与領域に対応付けて展開して第２バッファに格納し、前記第２バッファに格納された前記画像データを読み出し、かつ前記ラスターデータの先頭側のデータ部分に関しては読み出しを制限し、前記第２バッファから読み出された前記画像データに基づいて画像を記録することを特徴とする。
【発明の効果】
【００１３】
本発明は、複数のラスターデータとして受信した画像データを、そのラスターデータの先頭側のデータ部分を基準として、着色材付与領域に対応付けてバッファに展開してから、その画像データを読み出す際に、ラスターデータの先頭側のデータ部分に関しては読み出しを制限することにより、読み出した画像データに基づく縁なし記録時に、記録媒体の外に付与される着色材の量を少なくすることができる。この結果、着色材の無駄な消費を抑えることができ、また着色材としてインクを用いる場合には、記録装置内を汚染するおそれのあるインクミストの発生を抑えることができる。
【発明を実施するための最良の形態】
【００１４】
以下に、本発明に実施形態を図面に基づいて説明する。  
図１は、本発明を適用可能な記録システムの構成例の説明図である。パーソナルコンピュータ形態のホスト装置１００におけるプリンタドライバによって、記録装置５０での記録に必要な画像データが生成される。
【００１５】
図２は、記録装置５０の概略構成を説明するための斜視図である。本例の記録装置５０はシリアルスキャンタイプの記録装置であり、ガイド軸５１，５２によって、キャリッジ５３が矢印Ａの主走査方向に移動自在にガイドされている。キャリッジ５３は、キャリッジモータおよびその駆動力を伝達するベルト等の駆動力伝達機構により、主走査方向に往復動される。キャリッジ５３には、記録ヘッド１０（図４参照）と、その記録ヘッド１０にインクを供給するインクタンク５４が搭載される。記録ヘッド１０とインクタンク５４は、インクジェットカートリッジを構成するものであってもよい。記録媒体としての用紙Ｐは、装置の前端部に設けられた挿入口５５から挿入された後、その搬送方向が反転されてから、送りローラ５６によって矢印Ｂの副走査方向に搬送される。記録装置５０は、記録ヘッド１０を主走査方向に移動させつつ、プラテン５７上の用紙Ｐのプリント領域に向かってインクを吐出させる記録動作と、その記録幅に対応する距離だけ用紙Ｐを副走査方向に搬送する搬送動作と、を繰り返すことによって、用紙Ｐ上に順次画像を記録する。
【００１６】
記録ヘッド１０は、画像データに基づいて吐出口からインクを吐出するものであり、インクの吐出方式としては、電気熱変換体（ヒータ）やピエゾ素子などを利用した種々の方式を採用することができる。電気熱変換体を利用した場合には、その電気熱変換体が発生する熱によってインクを発泡させ、その発泡エネルギーを利用して、吐出口からインクを吐出させることができる。
【００１７】
キャリッジ５３の移動領域における図２中の左端には、キャリッジ５３に搭載された記録ヘッド１０の吐出口１５の形成面と対向する回復系ユニット（回復処理手段）５８が設けられている。回復系ユニット５８には、記録ヘッド１０の吐出口１５のキャッピングが可能なキャップと、そのキャップ内に負圧を導入可能な吸引ポンプなどが備えられている。吐出口１５を覆ったキャップ内に負圧を導入することにより、吐出口１５からインクを吸引排出させて、記録ヘッド１０の良好なインク吐出状態を維持すべく回復処理（「吸引回復処理」ともいう）をする。また、キャップ内に向かって、吐出口１５から画像の寄与しないインクを吐出させることによって、記録ヘッド１０の良好なインク吐出状態を維持すべく回復処理（「吐出回復処理」ともいう）をすることもできる。
【００１８】
図３は、ホスト装置１００のブロック構成図である。ホスト装置１００は、周知のコンピュータと同様に、ＣＰＵ１０１、ＲＡＭ１０２、ＲＯＭ１０３、ハードディスク記憶装置（ＨＤＤ）１０４、表示装置１０６、およびキーボードやマウス等の入力装置１０７を備え、さらに外部記憶装置１０５を備える。外部記憶装置１０５は、例えば、装置に着脱自在の記憶メディア（例えば、ＤＶＤ−ＲＯＭ、ＣＤ−ＲＯＭ、ＰＤ、ＭＯ、ＦＤ、ＪＡＺＺ（登録商標）、ＪＩＰ（登録商標）、各種磁気テープ等）に、データやプログラムを読み出し／書き込み自在に記憶するものである。ＲＡＭ１０２は、ＣＰＵ１０１のワークエリアやデータの一時記憶用に使用される。ホスト装置１００は、このような外部記憶装置１０５から、ハードディスク記憶装置（ＨＤＤ）１０４またはＲＡＭ１０２に、各種アプリケーションソフト１０８や本発明のプログラムを含むプリンタドライバ１０９をロードして、それらをＣＰＵ１０１によって実行する。これにより、プリンタドライバ１０９は、後述するような特徴的な処理機能を発揮する。
【００１９】
プリンタドライバ１０９は、ハードディスク記憶装置（ＨＤＤ）１０４やＲＡＭ１０２などの記憶媒体の他、読み書き自在の各種記憶媒体にロードして実行することもできる。また、プリンタドライバ１０９は、ＲＯＭ、ＮＶＲＡＭ等の不揮発性メモリ素子に予め記憶させてもよく、あるいは、ネットワークを介して他の装置等と通信することにより、記憶装置にロードするようにしてもよい。プリンタドライバ１０９により作成された画像データは、不図示の送信処理部によって、プリンタ５０の受信処理部へ送信される。
【００２０】
図４は記録装置５０の制御系のブロック構成図である。ＭＰＵ２８は、本例の記録装置５０の動作の制御処理やデータ処理等を実行する。ＲＯＭ３０は、それらの処理手順等のプログラムが格納され、またＲＡＭ２５は、それらの処理を実行するためのワークエリアなどとして用いられる。本例の場合、ＲＡＭ２５には、受信バッファ２２、ワークバッファ２３、およびプリントバッファ２４が構成されている。インターフェース（Ｉ／Ｆ）２１を通してホスト装置１００から受信した画像データは、受信バッファ２２に格納される。ＤＭＡ２９は、受信バッファ２２に格納された画像データ（圧縮されたデータ）を解凍してワークバッファ２３に展開し、そのワークバッファ２３の画像データを記録ヘッド１０のノズルに対応した順序に並べ替えてプリントバッファ２４に展開する。記録ヘッド１０からのインク（着色材）の吐出は、ＭＰＵ２８が吐出ヒータ（電気熱変換体）などの駆動データおよび駆動制御信号（ヒートパルス信号）をヘッドドライバ２７に供給することにより行われる。ＭＰＵ２８は、モータドライバ２６を介して、キャリッジ５３を主走査方向に駆動するためのキャリッジモータ６１と、記録媒体Ｐを副走査方向に搬送するためのＰ．Ｆモータ６２を制御する。
【００２１】
図５は、記録装置５０におけるコマンド解析処理を説明するためのフローチャートである。このコマンド解析処理は、記録装置５０がホスト装置１００から記録開始ジョブを受信したときに起動されるタスクによって実行され、その記録開始ジョブは受信バッファ２３に格納される。まず、ステップＳ１にてパラメータの初期化処理を行う。その後のステップＳ２において、ホスト装置１００からジョブエンドコマンドまたはジョブキャンセルのメッセージを受信するか否かを判定し、それらのいずれかを受信するまでは、ステップＳ３のコマンド処理を行う。
【００２２】
図６は、そのコマンド処理を説明するためのフローチャートである。まず、ホスト装置１００から受信した受信バッファ２２内の受信データを１バイト単位で解析し（ステップＳ１１）、ステップＳ１２〜Ｓ１７のようなコマンドディスパッチ処理を行う。すなわち、受信データがジョブエンドコマンドであるときはジョブエンド処理を行い（ステップＳ１２，Ｓ１５）、それがページマージンコマンドであるときはページマージン処理を行い（ステップＳ１３，Ｓ１６）、それがマルチラスターイメージデータであるときはマルチラスターイメージデータ処理を行う（ステップＳ１４，Ｓ１７）。受信データが他のデータであると、エラー処理を含めて、そのデータの内容に応じた他の処理を実行する（ステップＳ１８）。
【００２３】
図７は、図６中のページマージン処理（ステップＳ１６）を説明するためのフローチャートである。ページマージンコマンドには、図３のプリンタドライバ１０９が生成した画像データの記録領域に関する情報を含む。すなわち、図１１における画像データＤに関するＸ方向の原点位置のデータＤ（Ｘ０）、Ｙ方向の原点位置のデータＤ（Ｙ０）、Ｘ方向の幅データＤＷ、およびＹ方向の長さデータＤＬと、記録用紙Ｐに関するＸ方向の幅データＰＷおよびＹ方向の長さデータＰＬと、を含む。図７のステップＳ２１，Ｓ２２，Ｓ２３，Ｓ２４，Ｓ２５，Ｓ２６においては、それらのデータＤ（Ｘ０），Ｄ（Ｙ０），ＤＷ，ＤＬ，ＰＷ，ＰＬを取得して、それらをグローバル変数とする。
【００２４】
図８は、図６中のマルチラスターイメージデータ処理（ステップＳ１７）を説明するためのフローチャートである。まずは、給紙実行フラグがセットされているか否かを判定する（ステップＳ３１）。この給紙実行フラグは、後述する図９の送信処理（ステップＳ４４）中に給紙実行メッセージが発せされたときに”１”にセットされ、用紙が排紙されたときに”０”にリセットされる。そのフラグがセットされていればスタートページ処理（ステップＳ３２）を実行してからステップＳ３３に進み、それがセットされていなければスタートページ処理（ステップＳ３２）を実行せずにステップＳ３３に進む。
【００２５】
図９は、そのスタートページ処理（ステップＳ３２）を説明するためのフローチャートであり、まずは、図１０の縁なし判定処理を行う（ステップＳ４１）。この縁なし判定処理においては、画像データＤのＸ方向の原点位置のデータＤ（Ｘ０）と、記録許容範囲Ｓ２のＸ方向の原点位置のデータＡ（Ｘ０）とを比較する。後者のデータＡ（Ｘ０）は、ホスト装置から取得した記録用紙Ｐのサイズに関するデータと、記録装置固有の記録用紙Ｐの斜行量と、に基づいて、記録装置において求められる。そしてデータＤ（Ｘ０）がデータＡ（Ｘ０）よりも小さいとき、つまり前者の原点位置が後者の原点位置よりも図１１中の左方に位置するときに、記録用紙Ｐの図１１中の左端に縁なし記録がされると判定して、縁なし判定フラグを”１”にセットする（ステップＳ５１，Ｓ５２）。このような図１０の縁なし判定処理の後は、図９のステップＳ４２に戻って、縁なし判定フラッグが”１”にセットされているか否かを判定する。それがセットされているときには、読み捨て範囲の算出処理（ステップＳ４３）において、読み捨てるデータの範囲を計算してからステップＳ４４に進む。本例においては、位置データＤ（Ｘ０）とデータＡ（Ｘ０）との間における図１１中のＸ方向の範囲、つまり記録範囲Ｓ３の左側部分ＳＬが読み捨て範囲として算出される。一方、縁なし判定フラグがセットされていないときには、ステップＳ４２からステップＳ４４に進む。ステップＳ４４では、給紙メッセージのパケット送信処理を行う。この給紙メッセージは、最終的には記録装置５０のエンジンに伝わり、記録用紙Ｐを給紙する際には、そのメッセージパケットのパラメータである頭だし量分だけ、記録用紙Ｐの先端の頭だしがなされて、その先端位置が調整されることになる。
【００２６】
このような図９のスタートページ処理の後は、図８のステップ３３に戻って、縁なし判定フラグがセットされているか否かを再び判定する。縁なし判定フラグがセットされていなければステップＳ３５のイメージデータ処理に進む。このイメージデータ処理においては、受信バッファ２２に格納された画像データ（ラスターデータ）を解凍してワークバッファ２３に展開し、さらに、その画像データを記録ヘッド１０のノズルに対応じた順序に並べ替えてプリントバッファ２４に展開する。その後は、そのプリントバッファ２４に展開された画像データに基づいて記録をする。
【００２７】
一方、ステップＳ３３の判定において、縁なし判定フラグがセットされていればステップＳ３４の読み捨て処理に進む。この読み捨て処理においては、ステップＳ３５のイメージデータ処理と同様に、受信バッファ２２に格納された画像データ（ラスターデータ）を解凍してワークバッファ２３に展開した後、その画像データを記録ヘッド１０のノズルに対応じた順序に並べ替えてプリントバッファ２４に展開する。ただし、ワークバッファ２３の画像データをプリントバッファ２４に展開する際に、記録範囲Ｓ３の左側部分ＳＬ（読み捨て範囲）の画像データに関しては、ワークバッファ２３から読み出さないようにマスクをかける。つまり、ワークバッファ２３に展開した画像データ（ラスターデータ）の左側部分ＳＬをカラム単位で読み捨てて、プリントバッファ２４に展開させる。その後、そのプリントバッファ２４に展開された画像データに基づいて記録をすることにより、左側部分ＳＬにインクを吐出することなく、記録用紙Ｐが縁なし記録されることになる。
【００２８】
また、記録許容範囲Ｓ２から図１１中の右側にはみ出る記録範囲Ｓ３の右側部分ＳＲに関しては、その部分ＳＲに対応する画像データを用いることなく縁なし記録をすることもできる。すなわち、ホスト装置から送信される画像データ（ラスターデータ）を受信バッファ２２に格納した後、その画像データのラスターブロックの先頭側を基準として、その画像データをワークバッファ２３に展開するときに、そのラスターブロックの後端側に位置するデータ部分をワークバッファ２３に展開しないようにマスクをかける。ラスターブロックの後端側が図１１中の右側部分ＳＲに対応するため、理論的に、右側部分ＳＲの画像データを利用することなく、つまり、その部分ＳＲにインクを付与することなく縁なし記録をすることが可能となる。
【図面の簡単な説明】
【００２９】
【図１】本発明を適用可能な記録システムの構成例の説明図である。
【図２】図１における記録装置の構成例を説明するための要部の概略斜視図である。
【図３】図１におけるホスト装置の制御系のブロック構成図である。
【図４】図１における記録装置の制御系のブロック構成図である。
【図５】本発明の第１の実施形態におけるコマンド解析処理を説明するためのフローチャートである。
【図６】図５におけるコマンド処理を説明するためのフローチャートである。
【図７】図６におけるページマージン処理を説明するためのフローチャートである。
【図８】図６におけるマルチラスターイメージデータ処理を説明するためのフローチャートである。
【図９】図８におけるスタートページ処理を説明するためのフローチャートである。
【図１０】図９における縁なし判定処理を説明するためのフローチャートである。
【図１１】記録用紙と記録領域との関係を説明するための概念図である。
【符号の説明】
【００３０】
１０    記録ヘッド
２１    Ｉ／Ｆ
２２    受信バッファ
２３    ワークバッファ
２４    プリントバッファ
２５    ＲＡＭ
２６    モータドライバ
２７    記録ヘッドドライバ
２８    ＭＰＵ
２９    ＤＭＡ
３０    ＲＯＭ
５０    記録装置
１００    ホスト装置
１０９    プリンタドライバ
【図１】
2006043924.tif 000003
【図２】
2006043924.tif 000004
【図３】
2006043924.tif 000005
【図４】
2006043924.tif 000006
【図５】
2006043924.tif 000007
【図６】
2006043924.tif 000008
【図７】
2006043924.tif 000009
【図８】
2006043924.tif 000010
【図９】
2006043924.tif 000011
【図１０】
2006043924.tif 000012
【図１１】
2006043924.tif 000013